(57)【特許請求の範囲】
【請求項１】
磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置２１は、磁性流体密閉容器２２の内室部２３に、磁性流体４が、密封状態で封入されており、内室部２３は、中央室部２３ａとスロート部２３ｂとにより構成され、通常状態では、磁性流体４は、中央室部２３ａ内に存在しており、中央室部２３ａの一端には、スロート部２３ｂの出口流路２３ｃが設けられており、また中央室部２３ａの他端には、入口流路２３ｄが設けられており、その付近には、逆止弁２５が設けられており、中央室部２３ａが、外部より圧迫されると、磁性流体４は、渦巻き状に形成されたスロート部２３ｂに押出され、そのとき磁性流体４のほぼ全量がスロート部２３ｂに移動し、
磁性流体発電装置２１には、機器の保護のための、強度のある硬質保護ケース２８ａと可撓性のある軟質ケース２８ｂとで保護されており、硬質保護ケース２８ａの下には、たとえば基礎部２９があって、それに取付けられており、また軟質ケース２８ｂの上部には、押え部３０が配置されており、押え部３０が下方に移動することにより中央室部２３ａが、バネ２６に抗して押し下げられ、磁性流体４がスロート部２３ｂに移動され、スロート部２３ｂの外周には、コイル２４が設けられており、コイル２４の巻き数は、必要とされる電力により１巻き以上で、上限は用途に応じて多数巻きにしても良く、
コイル２４の両端は、電線７により蓄電池８にそれぞれ連結されており、蓄電池８からは、陽極線９と、陰極線１０により使用機器１１に連結されており、励磁電流が供給され、陰極線はアースＥに接続されており、
中央室部２３ａは、円形となっているが、３角形以上の多角形、または、楕円形、任意の曲線形でも良く、なお、スロート部２３ｂの内部は、大気圧から真空でもよいことを特徴とする磁性流体発電装置。
【請求項２】
磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置３１は、磁性流体密閉容器３２の内室部３３に、磁性流体４が、密封状態で封入されており、内室部３３は、中央室部３３ａとスロート部３３ｂとにより構成されており、通常状態では、磁性流体４は、中央室部３３ａ内に存在しており、中央室部３３ａの一端には、スロート部３３ｂの出口流路３３ｃが設けられており、また中央室部３３ａの他端には、入り口流路３３ｄが設けられており、その付近には、逆止弁３５が設けられており、中央室部３３ａが、外部より圧迫されると、磁性流体４は押出され、外周部に形成されたスロート部３３ｂを通過する、そのとき磁性流体４のほぼ全量がスロート部３３ｂに移動し、スロート部３３ｂの外周には、コイル３４が設けられており、コイル３４の巻き数は、必要とされる電力により１巻き以上で、上限は用途に応じて多数巻きにしても良く、コイル３４の両端は、電線７により蓄電池８にそれぞれ連結されており、
蓄電池８からは、陽極線９と、陰極線１０により使用機器１１に連結されており、励磁電流が供給され、陰極線はアースＥに接続されており、中央室部３３ａは、３角形以上の多角形、または、円形、楕円形、任意の曲線形でも良く、磁性流体発電装置３１には、機器の保護のための、強度のある硬質保護ケース３８ａと可撓性のある軟質ケース３８ｂとで保護されており、硬質保護ケース３８ａの下には、たとえば基礎部２９があって、それに取付けられており、また軟質ケース３８ｂの上部には、押え部３０が配置されており、押え部３０が下方に移動することにより中央室部３３ａが、バネ３６に抗して押し下げられ、磁性流体４がスロート部３３ｂに移動され、なお、スロート部３３ｂの内部は、大気圧から真空でもよいことを特徴とする磁性流体発電装置。
【請求項３】
磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置４１は、磁性流体密閉容器４２の内室部４３に、磁性流体４が、密封状態で封入されており、内室部４３は、中央室部４３ａとスロート部４３ｂとにより構成されており、通常状態では、磁性流体４は、中央室部４３ａ内に存在しており、中央室部４３ａの一端には、スロート部４３ｂの出口流路４３ｃが設けられており、また中央室部４３ａの他端には、給排口４３ｄが設けられており、
中央室部４３ａが、外部より圧迫されると、磁性流体４は押出され、スロート部４３ｂを通過しそのとき、磁性流体４のほぼ全量がスロート部４３ｂに移動し、
磁性流体発電装置４１には、機器の保護のための、強度のある硬質保護ケース４８ａと可撓性のある軟質ケース４８ｂとで保護されており、硬質保護ケース４８ａの下には、たとえば基礎部２９があって、それに取付けられており、また軟質ケース４８ｂの上部には、押え部３０が配置されており、押え部３０が下方に移動することにより中央室部４３ａが、バネ４６に抗して押し下げられ、磁性流体４がスロート部４３ｂに移動され、
スロート部４３ｂの外周には、コイル４４が設けられており、コイル４４の巻き数は、必要とされる電力により１巻き以上で、上限は用途に応じて多数巻きにしても良く、コイル４４の両端は、電線７により蓄電池８にそれぞれ連結され、発生電流が直流の場合は整流器を省略し、蓄電池８に直結しても良く、蓄電池８からは、陽極線９と、陰極線１０により使用機器１１に連結されており、励磁電流が供給される。陰極線はアースＥに接続されており、
中央室部４３ａは、３角形以上の多角形、または、円形、楕円形、任意の曲線形でも良く、なお、スロート部４３ｂの内部は、大気圧から真空でもよいことを特徴とする磁性流体発電装置。
【請求項４】
磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置５１は、磁性流体密閉容器５２の内室部５３に、磁性流体４が、密封状態で封入されており、内室部５３は、中央室部５３ａとスロート部５３ｂとにより構成されており、通常状態では、磁性流体４は、中央室部５３ａ内に存在しており、中央室部５３ａの外周には、スロート部５３ｂが、放射状に設けられ、
中央室部５３ａが、外部より圧迫されると、磁性流体４は、スロート部５３ｂを通過し、そのとき、磁性流体４のほぼ全量がスロート部５３ｂに移動し、スロート部５３ｂの外周には、コイル５４が設けられており、コイル５４は、１か所以上〜複数個設けられ、その両端は陽極線と陰極線とに接続されており、また、コイル５４の回路は並列接続、及び／又は直列接続として、電圧を高めても良く、
なお、スロート部５３ｂの内部は、大気圧から真空でもよいことを特徴とする磁性流体発電装置。
【発明の詳細な説明】
【技術分野】
【０００１】  本発明は、磁性流体発電装置に関する。
【背景技術】
【０００２】  従来より、給電装置としては、一般電力として、交流電力をコンセントを通じて給電することや、乾電池により給電することが一般的に用いられてきた。
しかるに近年、ＯＡ機器の目覚ましい発達により、住宅用固定型電子機器、または携帯用電子機器が、多用されるようになり、大電力は必要ないが、これらの小型機器の電力量を補う簡便な発電装置の必要性が極めて高くなって来ていた。
これらの電子機器は、電池が一旦切れると全く作動しなくなるため、いつどこでも電源を確保できる発電システムが求められていたが、それにマッチした発電装置がなく、その開発が強く望まれていた。
例えば従来の技術の一つとして「実用新案登録第３１２９６４４号」が、開示されているがあくまでも太陽光等の熱エネルギーを電気に転換して利用するためその転換効率が、低いという欠点を備えていた。
【先行技術文献】
【特許文献】
【０００３】
【特許文献１】「実用新案登録第３１２９６４４号」
【０００４】
【発明の概要】
【発明が解決しようとする課題】
【０００５】    本発明は、従来の欠点であった、いつでも、どこでも電源を確保できる発電装置を提供するものである。
【課題を解決するための手段】
【０００６】磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置２１は、磁性流体密閉容器２２の内室部２３に、磁性流体４が、密封状態で封入されており、内室部２３は、中央室部２３ａとスロート部２３ｂとにより構成され、通常状態では、磁性流体４は、中央室部２３ａ内に存在しており、中央室部２３ａの一端には、スロート部２３ｂの出口流路２３ｃが設けられており、また中央室部２３ａの他端には、入口流路２３ｄが設けられており、その付近には、逆止弁２５が設けられており、中央室部２３ａが、外部より圧迫されると、磁性流体４は、渦巻き状に形成されたスロート部２３ｂに押出され、そのとき磁性流体４のほぼ全量がスロート部２３ｂに移動し、
磁性流体発電装置２１には、機器の保護のための、強度のある硬質保護ケース２８ａと可撓性のある軟質ケース２８ｂとで保護されており、硬質保護ケース２８ａの下には、たとえば基礎部２９があって、それに取付けられており、また軟質ケース２８ｂの上部には、押え部３０が配置されており、押え部３０が下方に移動することにより中央室部２３ａが、バネ２６に抗して押し下げられ、磁性流体４がスロート部２３ｂに移動され、スロート部２３ｂの外周には、コイル２４が設けられており、コイル２４の巻き数は、必要とされる電力により１巻き以上で、上限は用途に応じて多数巻きにしても良く、
コイル２４の両端は、電線７により蓄電池８にそれぞれ連結されており、蓄電池８からは、陽極線９と、陰極線１０により使用機器１１に連結されており、励磁電流が供給され、陰極線はアースＥに接続されており、
中央室部２３ａは、円形となっているが、３角形以上の多角形、または、楕円形、任意の曲線形でも良く、なお、スロート部２３ｂの内部は、大気圧から真空でもよいことを特徴とする磁性流体発電装置を提供する。【０００７】磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置３１は、磁性流体密閉容器３２の内室部３３に、磁性流体４が、密封状態で封入されており、内室部３３は、中央室部３３ａとスロート部３３ｂとにより構成されており、通常状態では、磁性流体４は、中央室部３３ａ内に存在しており、中央室部３３ａの一端には、スロート部３３ｂの出口流路３３ｃが設けられており、また中央室部３３ａの他端には、入り口流路３３ｄが設けられており、その付近には、逆止弁３５が設けられており、中央室部３３ａが、外部より圧迫されると、磁性流体４は押出され、外周部に形成されたスロート部３３ｂを通過する、そのとき磁性流体４のほぼ全量がスロート部３３ｂに移動し、スロート部３３ｂの外周には、コイル３４が設けられており、コイル３４の巻き数は、必要とされる電力により１巻き以上で、上限は用途に応じて多数巻きにしても良く、コイル３４の両端は、電線７により蓄電池８にそれぞれ連結されており、
蓄電池８からは、陽極線９と、陰極線１０により使用機器１１に連結されており、励磁電流が供給され、陰極線はアースＥに接続されており、中央室部３３ａは、３角形以上の多角形、または、円形、楕円形、任意の曲線形でも良く、磁性流体発電装置３１には、機器の保護のための、強度のある硬質保護ケース３８ａと可撓性のある軟質ケース３８ｂとで保護されており、硬質保護ケース３８ａの下には、たとえば基礎部２９があって、それに取付けられており、また軟質ケース３８ｂの上部には、押え部３０が配置されており、押え部３０が下方に移動することにより中央室部３３ａが、バネ３６に抗して押し下げられ、磁性流体４がスロート部３３ｂに移動され、なお、スロート部３３ｂの内部は、大気圧から真空でもよいことを特徴とする磁性流体発電装置を提供する。【０００８】磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置４１は、磁性流体密閉容器４２の内室部４３に、磁性流体４が、密封状態で封入されており、内室部４３は、中央室部４３ａとスロート部４３ｂとにより構成されており、通常状態では、磁性流体４は、中央室部４３ａ内に存在しており、中央室部４３ａの一端には、スロート部４３ｂの出口流路４３ｃが設けられており、また中央室部４３ａの他端には、給排口４３ｄが設けられており、
中央室部４３ａが、外部より圧迫されると、磁性流体４は押出され、スロート部４３ｂを通過しそのとき、磁性流体４のほぼ全量がスロート部４３ｂに移動し、
磁性流体発電装置４１には、機器の保護のための、強度のある硬質保護ケース４８ａと可撓性のある軟質ケース４８ｂとで保護されており、硬質保護ケース４８ａの下には、たとえば基礎部２９があって、それに取付けられており、また軟質ケース４８ｂの上部には、押え部３０が配置されており、押え部３０が下方に移動することにより中央室部４３ａが、バネ４６に抗して押し下げられ、磁性流体４がスロート部４３ｂに移動され、
スロート部４３ｂの外周には、コイル４４が設けられており、コイル４４の巻き数は、必要とされる電力により１巻き以上で、上限は用途に応じて多数巻きにしても良く、コイル４４の両端は、電線７により蓄電池８にそれぞれ連結され、発生電流が直流の場合は整流器を省略し、蓄電池８に直結しても良く、蓄電池８からは、陽極線９と、陰極線１０により使用機器１１に連結されており、励磁電流が供給される。陰極線はアースＥに接続されており、
中央室部４３ａは、３角形以上の多角形、または、円形、楕円形、任意の曲線形でも良く、なお、スロート部４３ｂの内部は、大気圧から真空でもよいことを特徴とする磁性流体発電装置を提供する。【０００９】磁性流体密閉容器の内室部には、磁性流体が密封状態で封入されており、磁性流体密閉容器の一部のスロート部の外周には、コイルが設けられており、磁性流体が、コイル部を通過すると、磁性流体が移動することにより、コイル内に励磁電流が発生し、コイルの両端は、蓄電池に連結されており、該蓄電池より、使用機器に連結されている磁性流体発電装置であって、前記磁性流体密閉容器の用途例は、靴の中敷き、又は靴の内底、又は靴下、又はスリッパ、又は衣類、又は建物のフロアーマット、又はソファ、又は椅子の座り用クッション、又は階段のステップ、又はドアの開閉部、又はスイッチ等の圧力を受け、開放されることが、繰返される部位に磁性流体発電装置を配置しており、前記使用機器の実用例は、室内、屋外の移動部位と固定部位に分けられるが、ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器である磁性流体発電装置において、
磁性流体発電装置５１は、磁性流体密閉容器５２の内室部５３に、磁性流体４が、密封状態で封入されており、内室部５３は、中央室部５３ａとスロート部５３ｂとにより構成されており、通常状態では、磁性流体４は、中央室部５３ａ内に存在しており、中央室部５３ａの外周には、スロート部５３ｂが、放射状に設けられ、
中央室部５３ａが、外部より圧迫されると、磁性流体４は、スロート部５３ｂを通過し、そのとき、磁性流体４のほぼ全量がスロート部５３ｂに移動し、スロート部５３ｂの外周には、コイル５４が設けられており、コイル５４は、１か所以上〜複数個設けられ、その両端は陽極線と陰極線とに接続されており、また、コイル５４の回路は並列接続、及び／又は直列接続として、電圧を高めても良く、
なお、スロート部５３ｂの内部は、大気圧から真空でもよいことを特徴とする磁性流体発電装置を提供する。
【発明の効果】
【００１０】本発明の装置は、以下の効果を発揮するものである。
（１）磁性流体の優れた特性を利用した電子または電気機器に電気を供給するきわめて実用的装置で、いつでも、どこでも電源を確保できる発電装置を提供するものである。
（２）用途例には、実施例１では、靴１３の中敷き、靴１３の内底、靴下、スリッパに磁性流体発電装置１を配置した利用形態を示す。
用途例には、その他にも種々のものが考えられる。
例えば、人体の各部位で屈曲、伸展を受ける部位で用いる、例えばズボンのベルト部、腕又は足の関節部用のサポーター、衣類等である。
（３）加えて、人体用以外では、建物のフロアーマット、ソファや椅子の座り用クッション、階段のステップ、ドアの開閉部、スイッチ、各種電子機器等の圧力を受け、開放されることが、多く繰り返される部位ならいずれの個所でもよい。
（４）使用機器１１の実用例について述べると、室内、屋外の移動部位と固定部位に、分けられるが、ランプ、携帯電話、ラジオ、スマートフォン、タブレットＰＣ、ノートＰＣ、ＩＣレコーダ、各種リモコン、カメラ、各種電子機器等が考えられる。それらはほんの１例であるが、使用電力が比較的少ない対象機器であれば、いずれでもよい。
（５）これらの機器は、電源が切れると全く動かなくなるため、実用上重要な場面での必要性が望まれてきたものである。
特に、移動時や、災害時に、一般電力が使用できないときに、極めて有効性を発揮するものである。
（６）今後の次世代機器の発展に伴って、大幅な効果の拡大が望める画期的な発電装置である。
（７）実施例１の上室部３ａ及び／または下室部３ｃは、５角形となっているが、３角形以上の多角形、または、円形、楕円形、任意の曲線形でも良い。
（８）下室部３ｃの内部は、大気圧から真空でもよい。
（９）実施例２では、中央室部２３ａは、円形となっているが、３角形以上の多角形、または、楕円形、任意の曲線形でも良い。
（１０））実施例３、４では中央室部３３ａは、８角形となっているが、３角形以上の多角形、または、円形、楕円形、任意の曲線形でも良い。
【図面の簡単な説明】
【００１１】
【図１】磁性流体発電装置１の全体構造を示す平面図である。
【図２】磁性流体４の移動状態と、電気回路の平面図を示すものである。
【図３】実施例１の用途例を示すものである。
【図４】実施例２の磁性流体発電装置２１を示す平面図である。
【図５】実施例２の垂直断面図を示すものである。
【図６】実施例３の磁性流体発電装置３１を示す断面図である。
【図７】実施例３の垂直断面図を示すものである。
【図８】実施例４の磁性流体発電装置４１を示す断面図である。
【図９】実施例５の磁性流体発電装置５１を示す断面図である。
【発明を実施するための形態】
【００１２】    本発明は、磁性流体の優れた、特性を利用した電子または電気機器に電気を供給するきわめて実用的装置を提供するもので、いつでも、どこでも電源を確保できる発電装置を提供するものである。
【００１３】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００１４】  以下、本発明の実施例１について、図面を参照しながら説明する。
この実施例１は、図１、図２、及び図３に示す磁性流体発電装置である。
磁性流体発電装置１は、磁性流体密閉容器２の内室部３に、磁性流体４が、密封状態で封入されている。
図１は、磁性流体発電装置１の全体構造を示す平面図である。
内室部３は、上室部３ａとスロート部３ｂと、下室部３ｃとにより構成されている。
通常状態では、磁性流体４は、上室部３ａ内に、存在している。
上室部３ａが、外部より圧迫されると、磁性流体４は、矢印の方向に押出され、スロート部３ｂを通過し、磁性流体４のほぼ全量が下室部３ｃに移動する。
スロート部３ｂの外周には、コイル５が設けられている。【００１５】  また、磁性流体密閉容器２のいずれか一部に、給排口１２を設け磁性流体４の補給排出、及び空気圧の調節を行っても良い。これは、以下の実施例２〜４においても同様である。
図２は、磁性流体４の移動状態と、電気回路の平面図を示すものである。
磁性流体４が、スロート部３ｂを通過するときに、磁性流体４の有する地場が移動することにより、コイル５内には、フレミングの右手の法則により励磁電流が発生する。
コイルの巻き数は、必要とされる電力により１巻き以上で、上限は用途に応じて多数巻きにしても良い。【００１６】  コイル５の両端は、整流器６に連結されており、整流器６からは、電線７により蓄電池８にそれぞれ連結されている。
蓄電池８からは、陽極線９と、陰極線１０により使用機器１１に連結されており、励磁電流が供給される。陰極線はアースＥに接続されている。
図２は、電気回路詳細と磁性流体４が下室部３ｃに移動した状態を示した平面図である。
コイル５の両端は、整流器６に連結されており、整流器６の詳細は、半導体回路で構成されている。
上室部３ａ及び／または下室部３ｃは、図１、図２、図３では５角形となっているが、３角形以上の多角形、または、円形、楕円形、任意の曲線形でも良い。
なお、下室部３ｃの内部は、大気圧から真空でもよい。
またエネルギー源として、従来例にあった太陽光をはじめとする熱源を、磁性流体発電措置に付加し、更に発電能力を高める形態を含めるものである。【００１７】  次に、それぞれの材質に関して述べると、
磁性流体４に関しては、種々の材質が、知られているが、主たる構成は、磁性粒状物、界面活性剤、液体により構成されている
。磁性粒状物は、例えばマグネタイト、マンガンアルミフェライト、酸化鉄、鉄等の磁性化された磁性物質である。また磁性流体に混ぜ物として非磁性粒状物を混入させてもよい。【００１８】  前記磁性粒状物、非磁性粒状物の粒径は、１ナノメートル（Ｎｍ）Φ〜７００マイクロメートル（μｍ）Φのものが選ばれるが、用途とコストに応じて最適な粒径が用いられる。
さらに、全体の流動性を増し、磁性粒状物が衝突しないため、合成洗剤の仲間である界面活性剤で磁性粒状物を処理し、ミセル粒子を形成し、水や、油と良く馴染みコロイド状になって、ミクロな分散が可能となる。【００１９】  次に、液体としては、水、イソパラフィン、アルキルナフタレン、等の流動性の良いものが選ばれる。
付加的には、磁性流体４に流動による泡が発生するのを防止するため、消泡剤を混入しても良い。【００２０】  磁性流体密閉容器２の材質は、磁性流体４を密封状態で内包でき、非磁性で、可塑性を有する物であればいずれの材質でもよい。
例えば可塑性のポリエチレン、ポリプロピレン、ポリエステル、塩化ビニール等の合成樹脂、またはゴム系や、ゴム系樹脂、または前記合成樹脂、ゴム系、ゴム系樹脂を浸潤した布・不織布・紙・ガラス繊維・炭素繊維等のいずれの材料でもよい。
また、磁性流体密閉容器２の内面には、磁性粒状物の状突による摩耗を防止するため、フッ素樹脂加工、ＤＬＣ加工等の滑り加工を施しても良い。【００２１】  図３は、実施例１の用途例を示すもので、靴１３の中敷き、または、靴１３の内底、靴下、スリッパに磁性流体発電装置１を配置した利用形態を示す。
磁性流体密閉容器の用途例は、靴の中敷き、又は靴の内底、又は靴下、又はスリッパ等の他、又は衣類、又は人体の各部位で屈曲、伸展を受ける部位で用いる。
例えばズボンのベルト部、腕又は足の関節部用のサポーター、下着や上着等の衣服等である。【００２２】  加えて、人体用以外では、建物のフロアーマット、又はソファ、又は椅子の座り用クッション、又は階段のステップ、又はドアの開閉部、又はスイッチ等の圧力を受け、開放されることが、繰返される部位に磁性流体発電装置を配置することが出来る。
建物のフロアーマット、ソファや椅子の座り用クッション、階段のステップ、ドアの開閉部、スイッチ等の圧力を受け、開放されることが、多く繰り返される部位ならいずれの個所でもよい。【００２３】  次に、使用機器１１の実用例について述べると、室内、屋外の移動部位と固定部位に分けられるが、
ランプ、又は携帯電話、又はラジオ、又はスマートフォン、又はタブレットＰＣ、又はノートＰＣ、又はＩＣレコーダ、又は各種リモコン、又はカメラ、又は各種電子機器等の使用電力が比較的少ない使用機器であれば、いずれでも良い。【００２４】  これらの機器は、電源が切れると全く動かなくなるため、実用上重要な場面での必要性が望まれてきたものである。
特に、移動時や、災害時に、一般電力が使用できないときに、極めて有効性を発揮するものであって、今後の次世代機器の発展に伴って、大幅な効果の拡大が望める画期的な発電装置である。
【実施例２】
【００２５】  図４は、実施例２の磁性流体発電装置２１を示す平面図であり、図５は実施例２の断面図を示すものである。
磁性流体発電装置２１は、磁性流体密閉容器２２の内室部２３に、磁性流体４が、密封状態で封入されている。
内室部２３は、中央室部２３ａとスロート部２３ｂとにより構成されている。
通常状態では、磁性流体４は、中央室部２３ａ内に存在している。中央室部２３ａの一端には、スロート部２３ｂの出口流路２３ｃが設けられている。また中央室部２３ａの他端には、入口流路２３ｄが設けられており。その付近には、逆止弁２５が設けられている。【００２６】  図５に示すように、中央室部２３ａが、外部より圧迫されると、磁性流体４は、矢印の方向に押出され、スロート部２３ｂを通過する。そのとき、磁性流体４のほぼ全量がスロート部２３ｂに移動する。磁性流体発電装置２１には、機器の保護のための、強度のある硬質保護ケース２８ａと可撓性のある軟質ケース２８ｂとで保護されている。
硬質保護ケース２８ａの下には、たとえば基礎部２９があって、それに取付けられている。また、軟質ケース２８ｂの上部には、押え部３０が配置されており、押え部３０が下方に移動することにより中央室部２３ａが、バネ２６に抗して押し下げられ、磁性流体４がスロート部２３ｂに移動される。
また、硬質保護ケース２８ａと可撓性のある軟質ケース２８ｂを、一体で成形した保護ケース２８で構成しても良い。【００２７】  スロート部２３ｂの外周には、コイル２４が設けられている。
コイル２４の巻き数は、必要とされる電力により１巻き以上で、上限は用途に応じて多数巻きにしても良い。
コイル２４の両端は、図２と同様に整流器６を連結しても良い。整流器６からは、電線７により蓄電池８にそれぞれ連結されている。
発生電流が直流の場合は整流器を省略し、蓄電池８に直結しても良い。
蓄電池８からは、陽極線９と、陰極線１０により使用機器１１に連結されており、励磁電流が供給される。陰極線はアースＥに接続されている。
図４では、中央室部２３ａは、円形となっているが、３角形以上の多角形、または、楕円形、任意の曲線形でも良い。
なお、スロート部２３ｂの内部は、大気圧から真空でもよい。【００２８】  用途例には、前述の靴の中敷き、靴下、スリッパ、建物のフロアーマット、ソファや椅子の座り用クッション、階段のステップ、ドアの開閉部、スイッチ、等の圧力を受け、開放されることが、多く繰り返される部位ならいずれの個所でもよい。
【実施例３】
【００２９】  図６は、本発明の実施例３の磁性流体発電装置３１を示す断面図である。
図７は実施例３の垂直断面図を示すものである。
磁性流体発電装置３１は、磁性流体密閉容器３２の内室部３３に、磁性流体４が、密封状態で封入されている。【００３０】  内室部３３は、中央室部３３ａとスロート部３３ｂとにより構成されている。
通常状態では、磁性流体４は、中央室部３３ａ内に存在している。中央室部３３ａの一端には、スロート部３３ｂの出口流路３３ｃが設けられている。また中央室部３３ａの他端には、入り口流路３３ｄが設けられており。その付近には、逆止弁３５が設けられている。
中央室部３３ａが、外部より圧迫されると、磁性流体４は、矢印の方向に押出され、スロート部３３ｂを通過する。そのとき、磁性流体４のほぼ全量がスロート部３３ｂに移動する。
スロート部３３ｂの外周には、コイル３４が設けられている。
コイル３４の巻き数は、必要とされる電力により１巻き以上で、上限は用途に応じて多数巻きにしても良い。【００３１】コイル３４の両端は、図２と同様に整流器６を連結しても良い。整流器６からは、電線７により蓄電池８にそれぞれ連結されている。
発生電流が直流の場合は整流器を省略し、蓄電池８に直結しても良い。
蓄電池８からは、陽極線９と、陰極線１０により使用機器１１に連結されており、励磁電流が供給される。陰極線はアースＥに接続されている。【００３２】図６においては、中央室部３３ａは、８角形となっているが、３角形以上の多角形、または、円形、楕円形、任意の曲線形でも良い。
なお、スロート部３３ｂの内部は、大気圧から真空でもよい。【００３３】磁性流体発電装置３１には、機器の保護のための、強度のある硬質保護ケース３８ａと可撓性のある軟質ケース３８ｂとで保護されている。
硬質保護ケース３８ａの下には、たとえば基礎部２９があって、それに取付けられている。また、軟質ケース３８ｂの上部には、押え部３０が配置されており、押え部３０が下方に移動することにより中央室部３３ａが、バネ３６に抗して押し下げられ、磁性流体４がスロート部３３ｂに移動される。
【実施例４】
【００３４】  図８は、本発明の実施例４の磁性流体発電装置４１を示す断面図である。
磁性流体発電装置４１は、磁性流体密閉容器４２の内室部４３に、磁性流体４が、密封状態で封入されている。
内室部４３は、中央室部４３ａとスロート部４３ｂとにより構成されている。
通常状態では、磁性流体４は、中央室部４３ａ内に存在している。中央室部４３ａの一端には、スロート部４３ｂの出口流路４３ｃが設けられている。また中央室部４３ａの他端には、給排口４３ｄが設けられている。
中央室部４３ａが、外部より圧迫されると、磁性流体４は、矢印の方向に押出され、スロート部４３ｂを通過する。そのとき、磁性流体４のほぼ全量がスロート部４３ｂに移動する。【００３５】  磁性流体発電装置４１には、機器の保護のための、強度のある硬質保護ケース４８ａと可撓性のある軟質ケース４８ｂとで保護されている。
硬質保護ケース４８ａの下には、たとえば基礎部２９があって、それに取付けられている。また、軟質ケース４８ｂの上部には、押え部３０が配置されており、押え部３０が下方に移動することにより中央室部４３ａが、バネ４６に抗して押し下げられ、磁性流体４がスロート部４３ｂに移動される。【００３６】  スロート部４３ｂの外周には、コイル４４が設けられている。
コイル４４の巻き数は、必要とされる電力により１巻き以上で、上限は用途に応じて多数巻きにしても良い。
コイル４４の両端は、図２と同様に整流器６を連結しても良い。整流器６からは、電線７により蓄電池８にそれぞれ連結されている。
発生電流が直流の場合は整流器を省略し、蓄電池８に直結しても良い。
蓄電池８からは、陽極線９と、陰極線１０により使用機器１１に連結されており、励磁電流が供給される。陰極線はアースＥに接続されている。
中央室部４３ａは、８角形となっているが、３角形以上の多角形、または、円形、楕円形、任意の曲線形でも良い。
なお、スロート部４３ｂの内部は、大気圧から真空でもよい。
【実施例５】
【００３７】  図９は、本発明の実施例の磁性流体発電装置５１を示す断面図である。
磁性流体発電装置５１は、磁性流体密閉容器５２の内室部５３に、磁性流体４が、密封状態で封入されている。
内室部５３は、中央室部５３ａとスロート部５３ｂとにより構成されている。
通常状態では、磁性流体４は、中央室部５３ａ内に存在している。中央室部５３ａの外周には、スロート部５３ｂが、放射状に設けられている。
中央室部５３ａが、外部より圧迫されると、磁性流体４は、スロート部５３ｂを通過する。そのとき、磁性流体４のほぼ全量がスロート部５３ｂに移動する。【００３８】  スロート部５３ｂの外周には、コイル５４が設けられている。
コイル５４は、図９では、６か所に設けられ、その両端は陽極線５９と、陰極誠意６０とに接続されている。【００３９】  また図９では、コイル５４は３か所ずつの並列接続となっているが、すべてを直列接続として、電圧を高めても良い。すなわちコイル５４の回路は、並列接続及び／又は直列接続として構成しても良い。
また、コイル５４の配置は、６ケ所でなく、２以上の多数箇所配置しても良い。
なお、スロート部４３ｂの内部は、大気圧から真空でもよい。
【産業上の利用可能性】
【００４０】      本発明の活用例としては、以上説明したように、使用機器１１の実用例は、室内、屋外の移動部位と固定部位に対しランプ、携帯電話、ラジオ、スマートフォン、タブレットＰＣ、ノートＰＣ、ＩＣレコーダ、各種リモコン等の電源が考えられる。
特に、移動時や、災害時に、一般電力が使用できないときに、極めて有効性を発揮するものであって、今後の次世代機器の発展に伴って、大幅な効果の拡大が望める画期的な発電装置であり、新市場の拡大による、産業の発展に寄与するものである。
【符号の説明】
【００４１】１、２１、３１、４１、５１  磁性流体発電装置
２、２２、３２、４２、５２  磁性流体密閉容器
３、２３、３３，４３、５３  内室部
３ａ    上室部
３ｂ    スロート部
３ｃ    下室部
４      磁性流体
５，２４，３４、４４、５４  コイル
６      整流器
７      電線
８      蓄電池
９、５９    陽極線
１０、６０  陰極線
１１    使用機器
１２、４３ｄ  給排口
１３    靴
２３ａ、３３ａ、４３ａ、５３ａ    中央室部
２３ｂ、３３ｂ、４３ｂ、５３ｂ    スロート部
２３ｃ、３３ｃ、４３ｃ  出口流路
２３ｄ、３３ｄ          入口流路
２５、３５              逆止弁
２６、３６，４６        バネ
２８，３８，４８        保護ケース
２８ａ、３８ａ、４８ａ  硬質保護ケース
２８ｂ、３８ｂ、４８ｂ  軟質保護ケース
２９    基礎部
３０    押え部
【要約】      （修正有）【課題】電子機器は、電池が一旦切れると全く作動しなくなるため、いつどこでも電源を確保できる発電システムを提供する。【解決手段】磁性流体密閉容器２の内室部には、磁性流体４が密封状態で封入されており、磁性流体密閉容器２の一部のスロート部３ｂの外周には、コイル５が設けられており、磁性流体４が、コイル部を通過すると、磁性流体４が移動することにより、コイル５内に励磁電流が発生し、コイル５の両端は、蓄電池８に連結されており、蓄電池８より、使用機器１１に連結されていることを特徴とする磁性流体発電装置１を提供する。【選択図】図１【図１】
0005811487.tif 000002
【図２】
0005811487.tif 000003
【図３】
0005811487.tif 000004
【図４】
0005811487.tif 000005
【図５】
0005811487.tif 000006
【図６】
0005811487.tif 000007
【図７】
0005811487.tif 000008
【図８】
0005811487.tif 000009
【図９】
0005811487.tif 000010